(57)【特許請求の範囲】
【請求項１】
被覆ブロックを傾斜面に配置するとともに、本体底部よりも下方へ突出した脚部を有する根固めブロックを法先外周部に配置したマウンドにおいて、
前記被覆ブロック及び前記根固めブロックの移動を規制する移動規制手段を法先外周部の地盤上のみに設置し、
前記移動規制手段として、傾斜面と法先外周部との境界線と平行な方向へ延在するレール状の移動規制手段が、根固めブロックのいずれかの脚部における法先外周部の外縁側の部位を押さえるように配置されていることを特徴とするマウンド。
【請求項２】
被覆ブロックを傾斜面に配置するとともに、本体底部よりも下方へ突出した脚部を有する根固めブロックを、二列の幅で法先外周部に配置したマウンドにおいて、
前記被覆ブロック及び前記根固めブロックの移動を規制する移動規制手段を法先外周部の地盤上のみに設置し、
前記移動規制手段として、傾斜面と法先外周部との境界線と平行な方向へ延在する二列のレール状の移動規制手段が配置され、
前記二列のレール状の移動規制手段のうち、法先外周部の外縁側のレール状の移動規制手段が、前記二列の幅の根固めブロックのうち、法先外周部の外縁側の根固めブロックのいずれかの脚部における法先外周部の外縁側の部位に近接又は接触するように配置され、
前記二列のレール状の移動規制手段のうち、法先外周部の内縁側のレール状の移動規制手段が、前記二列の幅の根固めブロックのうち、法先外周部の内縁側の根固めブロックのいずれかの脚部における法先外周部の内縁側の部位に近接又は接触するように配置されていることを特徴とするマウンド。
【発明の詳細な説明】
【技術分野】
【０００１】
本発明は、港湾、海岸、漁港等の構造物のマウンドの構造に関する。
【背景技術】
【０００２】
港湾、海岸、漁港等の構造物は、地盤上に捨石等を積み上げて形成された台形状のマウンドを基礎とするものが多く、このようなマウンドは、傾斜面、天端面が被覆ブロックによって被覆されるとともに、洗掘の防止、及び、傾斜面の被覆ブロックの移動の防止等の理由から、法先外周部の地盤上に根固めブロックが配置されるのが一般的である。
【先行技術文献】
【特許文献】
【０００３】
【特許文献１】特開２０１４−０５８７８２号公報
【特許文献２】特開２０１２−１３２１５３号公報
【特許文献３】特開２００７−１００４７７号公報
【発明の概要】
【発明が解決しようとする課題】
【０００４】
法先外周部に配置される根固めブロックは、条件によっては波浪に対する安定性が低いという問題があり、例えば、波浪等の影響を受けて根固めブロックが外側方向へ移動してしまうと、傾斜面に配置されている被覆ブロックが法先側に順次スライドして、各被覆ブロック間に隙間が生じ、緊密な配列によって担保されているマウンド全体の安定性が損なわれてしまうという問題がある。
【０００５】
本発明は、このような従来技術における課題を解決しようとするものであって、法先外周部に配置される根固めブロックにおける安定性の飛躍的な向上を期待できるマウンドを提供することを目的とする。
【課題を解決するための手段】
【０００６】
本発明に係るマウンドは、被覆ブロックが傾斜面に配置されるとともに、本体底部よりも下方へ突出した脚部を有する根固めブロックが法先外周部に配置され、被覆ブロック及び根固めブロックの移動を規制する移動規制手段を法先外周部の地盤上のみに設置し、移動規制手段として、傾斜面と法先外周部との境界線と平行な方向へ延在するレール状の移動規制手段が、法先外周部の根固めブロックのいずれかの脚部における法先外周部の外縁側の部位を押さえるように配置されていることを特徴としている。
【０００７】
また、本発明に係るマウンドは、被覆ブロックを傾斜面に配置するとともに、本体底部よりも下方へ突出した脚部を有する根固めブロックを、二列の幅で法先外周部に配置し、被覆ブロック及び根固めブロックの移動を規制する移動規制手段を法先外周部の地盤上のみに設置し、移動規制手段として、傾斜面と法先外周部との境界線と平行な方向へ延在する二列のレール状の移動規制手段が配置され、二列のレール状の移動規制手段のうち、法先外周部の外縁側のレール状の移動規制手段が、二列の幅の根固めブロックのうち、法先外周部の外縁側の根固めブロックのいずれかの脚部における法先外周部の外縁側の部位に近接又は接触するように配置され、二列のレール状の移動規制手段のうち、法先外周部の内縁側のレール状の移動規制手段が、二列の幅の根固めブロックのうち、法先外周部の内縁側の根固めブロックのいずれかの脚部における法先外周部の内縁側の部位に近接又は接触するように配置されていることを特徴としている。
【発明の効果】
【００１０】
本発明に係るマウンドは、法先外周部に設置した移動規制手段によって、根固めブロックの脚部が押さえられることにより、法先外周部の外縁側への移動が規制されるようになっているため、波浪等に対する根固めブロックの安定性の飛躍的な向上が期待できる。
【図面の簡単な説明】
【００１１】
【図１】図１は、本発明の第一実施形態に係るマウンド１の先端部分の平面図である。
【図２】図２は、本発明の第一実施形態に係るマウンド１において被覆ブロック１１及び根固めブロック１２として使用されるブロック１０の斜視図及び側面図である。
【図３】図３は、図１に示すＡ−Ａ線によるマウンド１の部分的な垂直断面図である。
【図４】図４は、移動規制手段５の他の構成例（第二実施形態）を示す図である。
【図５】図５は、移動規制手段５の他の構成例（第三実施形態）を示す図である。
【発明を実施するための形態】
【００１２】
以下、添付図面に沿って、本発明「マウンド」を実施するための形態について説明する。図１は、本発明の第一実施形態に係るマウンド１の先端部分の平面図である。
【００１３】
図示されているように、このマウンド１は、捨石等によって地盤上に形成した捨石層の天端面２、及び、傾斜面３の上に被覆ブロック１１が規則的に（マトリックス状に）配置されるとともに、法先外周部４（図１において斜線で示す、傾斜面３の法先の外周側における一定範囲の領域）の地盤上に根固めブロック１２が規則的に配置されている。
【００１４】
尚、本実施形態においては、被覆ブロック１１及び根固めブロック１２として、形状、構造、及び、大きさが同一のブロック、より具体的には、図２に示すようなＸ型のブロック１０が用いられている。このブロック１０においては、本体底部よりも下方へ突出した脚部１０ａが、四つの突出部１０ｃの先端の下側にそれぞれ一つずつ、合計四つ形成されており、更に、上面から底部まで貫通する穴部１０ｂが、本体中央に一つ、そして、四つの突出部１０ｃにそれぞれ一つずつ、合計五つ形成されている。
【００１５】
本発明に係るマウンド１は、法先外周部４に配置した根固めブロック１２の法先外周部４の外縁側方向への移動を規制する移動規制手段が、法先外周部４の地盤上に設置されていることを特徴とするものであり、本実施形態においては、移動規制手段として、傾斜面３と法先外周部４との境界線と平行な方向へ延在するレール状の移動規制手段５が法先外周部４の地盤上に固定されている。
【００１６】
本実施形態においては、図１に示すように、根固めブロック１２は二列の幅で配置されており、これに対応してレール状の移動規制手段５も、二列配置されている。そして、図３に示すように、二列配置されている移動規制手段５Ａ，５Ｂのうち、外周側（法先外周部４（図１参照）の外縁側）の移動規制手段５Ａは、二列の幅で配置されている根固めブロック１２Ａ，１２Ｂのうち、外周側（法先外周部４（図１参照）の外縁側）の根固めブロック１２Ａの内周側（法先外周部４（図１参照）の内縁側、即ち、傾斜面３側）の脚部１０ａにおける外周側の部位（法先外周部４（図１参照）の外縁側の部位）に近接（又は接触）するように配置され、二列配置されている移動規制手段５Ａ，５Ｂのうち、内周側（法先外周部４（図１参照）の内縁側、即ち、傾斜面３側）の移動規制手段５Ｂは、二列の幅で配置されている根固めブロック１２Ａ，１２Ｂのうち、内周側（法先外周部４（図１参照）の内縁側、即ち、傾斜面３側）の根固めブロック１２Ｂの外周側（法先外周部４（図１参照）の外縁側）の脚部１０ａにおける内周側の部位（法先外周部４（図１参照）の内縁側の部位、即ち、傾斜面３側の部位）に近接（又は接触）するように配置されている。
【００１７】
尚、レール状の移動規制手段５は、例えば、直列させた根固めブロック１２の三個分程度の長さを有する細長形状の鉄筋コンクリートブロック、或いは、金属製材料を、傾斜面３と法先外周部４との境界線と平行な方向へ延在するように直列的に並べて法先外周部４の地盤上に静置してもよいし、必要に応じて、隣接する移動規制手段５同士を連結してもよいし、下半部を地盤中に埋没させて固定するようにしてもよいし、或いは、地盤中に打ち込んだアンカーによって地盤上に固定するようにしてもよい。
【００１８】
本発明に係るマウンド１は、上述の通り、法先外周部４に設置した移動規制手段５によって、根固めブロック１２の脚部１０ａが押さえられ、根固めブロック１２における法先外周部４の外縁側への移動が規制されるようになっているため、波浪等に対する根固めブロック１２の安定性の飛躍的な向上が期待できる。
【００１９】
尚、移動規制手段５として、図１及び図３に示したレール状のものの代わりに、図４に示すようなリング状（八角形リング状）のものを、法先外周部４（図１参照）の地盤上に適切な間隔を置いて配置し、一つのリング状の移動規制手段５の内側に、四つの根固めブロック１２（図４において実線で示す三つの根固めブロック１２及び破線で示す一つの根固めブロック１２）を二列×二列に並べた場合において、最も内側となる脚部１０ａをそれぞれ一つずつ挿入することにより、四つの根固めブロック１２を結束するように構成してもよい。
【００２０】
また、移動規制手段５として、図５に示すように、ベース６から上方へ突出した二列×二列の四つの突起７を有するものを法先外周部４（図１参照）の地盤上に適切な間隔を置いて配置し、一つの移動規制手段５の上に、二列×二列に配列した四つの根固めブロック１２（図５において実線で示す三つの根固めブロック１２及び破線で示す一つの根固めブロック１２）を載置し、移動規制手段５の四つの突起７を、載置される四つの根固めブロック１２の各穴部１０ｂに一つずつ嵌合させて連結するように構成してもよい。
【符号の説明】
【００２１】
１：マウンド、
２：天端面、
３：傾斜面、
４：法先外周部、
５：移動規制手段、
６：ベース、
７：突起、
１０：ブロック、
１０ａ：脚部、
１０ｂ：穴部、
１０ｃ：突出部、
１１：被覆ブロック、
１２：根固めブロック
【図１】
0006680512.tif 000002
【図２】
0006680512.tif 000003
【図３】
0006680512.tif 000004
【図４】
0006680512.tif 000005
【図５】
0006680512.tif 000006